(57)【要約】【課題】照射面に一様に光を照射することができ、且つ、照射効率を向上させることができる面発光装置、及びそれを用いた発光式看板を提供する。【解決手段】面発光装置１は、反射面９上に形成され、照射された光を照射面方向に反射する複数の反射ドット１３と、反射ドット１３に光を照射する発光素子７と、反射面９から所定の距離をもって当該反射面９に対して光を反射する反射部材１１とを備える。この構成によれば、発光素子７から照射された光の一部は、直接反射ドット１３によって照射面方向に反射される。そして、発光素子７から照射された光のうち、反射ドット１３に当たらない光は、反射部材１１によって反射ドット１３の方向に反射された後、反射ドット１３によって照射面方向に反射される。【選択図】  図１
2008152933.tif 000002
【特許請求の範囲】
【請求項１】
反射面上に形成され、照射された光を照射面方向に反射する複数の反射ドットと、
前記反射ドットに光を照射する発光素子と、
前記反射面から所定の距離をもって形成され当該反射面に対して光を反射する反射部材とを備えること、
を特徴とする面発光装置。
【請求項２】
前記反射面上に固定された台座を備え、
前記反射部材は、前記台座上に固定されていること、
を特徴とする請求項１記載の面発光装置。
【請求項３】
前記反射部材は、前記反射面の中心部近傍に形成されていること、
を特徴とする請求項１又は請求項２の何れかの項記載の面発光装置。
【請求項４】
前記反射ドットは、前記反射部材に近接するに従って当該反射ドットの分布密度が上昇する様に前記反射面上に形成されていること、
を特徴とする請求項１又は請求項２の何れかの項記載の面発光装置。
【請求項５】
前記反射ドットの高さは、前記反射部材に近接するに従って高くなる様に形成されていること、
を特徴とする請求項１乃至請求項３の何れかの項記載の面発光装置。
【請求項６】
前記反射部材は、ポリカーボネートを用いて形成されていること、
を特徴とする請求項１乃至請求項４の何れかの項記載の面発光装置。
【請求項７】
前記発光素子は、ＬＥＤ（Light Emitting Diode）素子であること、
を特徴とする請求項１乃至請求項５の何れかの項記載の面発光装置。
【請求項８】
反射面上に形成され、照射された光を照射方向に反射する複数の反射ドットと、
前記反射ドットに光を照射するＬＥＤ素子と、
前記反射面から所定の距離をもって形成され当該反射面に対して光を反射する反射部材とを有する面発光装置と、
透光性材料によって形成され所定の情報が記録された記録媒体とを備え、
前記記録媒体は、前記面発光装置の前記照射方向に配置されていること、
を特徴とする発光式看板。
【発明の詳細な説明】
【技術分野】
【０００１】
本発明は、面発光装置、及び当該面発光装置を備える発光式看板に関する。
【背景技術】
【０００２】
従来、看板、又は液晶パネル等を裏側から照射する面発光装置としては、特許文献１に記載された面発光装置がある。
【０００３】
【特許文献１】特開２００４−４８９２号公報  具体的には、特許文献１に記載された発明は、反射面の表面をダイヤモンド圧子で押圧し、表面に球面の一部をなす多数の凹部を形成することで高い反射効率を得ることとしている。
【発明の開示】
【発明が解決しようとする課題】
【０００４】
しかしながら、上述の発明では、凹部に当たらない光を取り出すことができない為、照射効率が低いという問題があった。
【０００５】
そこで、本発明はこの様な実情に鑑みてなされたものであり、照射面に一様に光を照射することができ、且つ、照射効率を向上させることができる面発光装置、及びそれを用いた発光式看板を提供することを目的とする。
【課題を解決するための手段】
【０００６】
上記課題を解決する為に、本発明にかかる面発光装置は、反射面上に形成され、照射された光を照射面方向に反射する複数の反射ドットと、前記反射ドットに光を照射する発光素子と、前記反射面から所定の距離をもって形成され当該反射面に対して光を反射する反射部材とを備えることを特徴としている。
【０００７】
この構成によれば、発光素子から照射された光の一部は、直接反射ドットによって照射面方向に反射される。そして、発光素子から照射された光のうち、反射ドットに当たらない光は、反射部材によって反射ドットの方向に反射された後、反射ドットによって照射面方向に反射される。このとき、反射部材は、反射ドットが形成された反射面から所定の距離をもって形成されている為、一部の光は反射部材と反射面との間を通り抜け、反射部材の裏側にある反射ドットによって照射面の方向に反射されることとなる。
【０００８】
この様に、面発光装置によれば、本来反射ドットにあたることのない光も照射面方向に反射することができる。また、面発光装置によれば、反射部材を反射面から所定の距離をもって形成されている為、反射部材の裏側においても照射面方向に光を反射することができる。
【０００９】
また、本発明にかかる発光式看板は、反射面上に形成され、照射された光を照射方向に反射する複数の反射ドットと、前記反射ドットに光を照射するＬＥＤ素子と、前記反射面から所定の距離をもって形成され当該反射面に対して光を反射する反射部材とを有する面発光装置と、透光性材料によって形成され所定の情報が記録された記録媒体とを備え、前記記録媒体は、前記面発光装置の前記照射方向に配置されていることを特徴としている。
【発明の効果】
【００１０】
この様に、本発明によれば、照射面に一様に光を照射することができ、且つ、照射効率を向上させることができる。
【発明を実施するための最良の形態】
【００１１】
以下、本発明を適用した具体的な実施の形態について図面を参照しながら詳細に説明する。
【００１２】
図１に示す様に、発光式看板１は、面発光装置３を収納する筐体５を備える。発光式看板１は、筐体５の上面に、透光性材料によって形成され所定の情報が記録された図示せぬ記録媒体を配置することで構成される。
【００１３】
筐体５は、中空部に面発光装置３を備える。面発光装置３は、筐体５の中空部の周囲に沿って配列されたＬＥＤアレイ７と、筐体５の中空部の底面に形成された反射面９と、反射面９上に配置された反射部材１１とを備える。
【００１４】
ＬＥＤアレイ７は、全てのＬＥＤ素子から照射光が中空部の内部方向に向けて照射される様に形成される。この様なＬＥＤアレイ７は、所定の基板上に複数のＬＥＤ素子を配列して構成され、図示せぬ電源部から取得した電力に基づいて発光する。そしてＬＥＤアレイ７から照射された光は、反射面９及び反射部材１１によって筐体５の開口した上面の方向に向けて反射される。
【００１５】
反射面９は、図２に示す様に、複数の反射ドット１３を備える。これら反射ドット１３は、例えば反射面９上に一定の反射率を有する材料をプリントして形成される。そして、これら反射ドット１３は、同図に示す様に、反射部材１１に近接するに従って当該反射ドットの分布密度が上昇する様に、反射面９上にプリントされる。また、反射ドット１３の高さは、図３に示す様に、反射部材１１に近接するに従って高くなる様に、反射面９上にプリントされる。発明者の実験によれば、反射部材１１に近接するにつれて反射ドット１３の形状を変化させることによって、反射効率を格段に向上させることができる。
【００１６】
反射部材１１は、ＬＥＤアレイ７から照射された光を反射する。この様な反射部材１１は、反射面９の中央部近傍に配置される。またこの様な反射部材１１は、反射面９から所定の距離をもって形成される。本発明では、反射部材１１と反射面９との間に一定の間隔を設けることによって、ＬＥＤアレイ７から照射された光を一様に照射面方向に反射することを可能とする。反射部材１１としては、例えば円形断面を有する棒状の部材や、板状の部材を用いることができる。この様な反射部材１１は、例えば、約５ｍｍ程度の厚さを有する台座１５上に配置される。そして台座１５を反射面９上に固定し、その上に反射部材１１を配置することによって、反射面９と反射部材１１との間に一定の距離を設ける。
【００１７】
この様な面発光装置３において、ＬＥＤアレイ７を発光させると、ＬＥＤアレイ７から照射した光は、矢印Ａ，Ｂ，Ｃ，Ｄに示す様な経路を辿る。まず、ＬＥＤアレイ７から照射した光のうち反射ドット１３の方向に照射される光は、矢印Ａによって示す様に、直接反射ドット１３によって照射面方向に配置された記録媒体１７の方向に反射される。この様な現象は、主に、ＬＥＤアレイ７と反射部材１１との間で発生する。
【００１８】
また、ＬＥＤアレイ７から反射部材１１と反射面９との間に設けられた間隔に向けて照射された光は、矢印Ｂによって示す様に反射部材１１の裏側に形成された反射ドット１３によって、照射面方向に反射される。これにより、反射部材１１の裏側近傍からも照射面に向けて光を反射することができる為、反射部材１１の上部近傍にも光を照射することが可能となる。
【００１９】
また、ＬＥＤアレイ７から照射された光のうち、反射面９と略平行に照射された光の一部は、矢印Ｃによって示す様に、円柱状に形成された反射部材１１の曲面に当たり、反射面９から離れる様に反射する。また、反射面９と略平行に照射された光の一部は、矢印Ｄによって示す様に、円柱状に形成された反射部材１１の曲面に当たり、反射面９の方向に反射する。そして、この光は、反射ドット１３によって照射面方向に反射される。これにより、反射部材１１がなければ反射ドット１３に照射されなかったであろう光を反射ドット１３の方向に反射させることができる。また、反射部材１１の少なくとも側面を、曲面にすることによって、反射の効率を向上させることができる。
【００２０】
この様に、記録媒体１７は、主に４種類の光によって背面から照射される為、反射効率を向上させることができる。また、面発光装置３は、反射面９の中央部近傍に反射部材１１を設けることによって、上述の矢印Ｃによって示される光の経路を形成することができ、且つ、反射部材１１を反射面９から離すことによって矢印Ｂによって示される光の経路を形成することができる為、記録媒体１７を一様に照射することができる。
【００２１】
また、本発明にかかる面発光装置３は、反射面９上に反射ドット１３をプリントし、反射部材１１を配置することによって構成される為、極めて容易に製造することができる。
【００２２】
また、発光式看板１のサイズが、例えばＡ１版（ＪＩＳ規格）程度である場合は、図４に示す様に、反射部材１１の数を増やすことで、照射面から照射される光を一様に保つことができる。
【００２３】
同図に示す様に、例えば発光式看板１のサイズが、例えばＡ１版程度である場合は、中心部近傍にＬＥＤアレイ１９を配置する。そしてこのとき、ＬＥＤアレイ１９は、発光式看板１の中心部から長手方向に向けて光を照射する様に配置される。また、反射部材１１は、ＬＥＤアレイ１９と、ＬＥＤアレイ７との中間部近傍にそれぞれ配置される。この様に、発光式看板１のサイズが大きい場合は、反射面９上にＬＥＤアレイ１９を増設し、ＬＥＤアレイ１９とＬＥＤアレイ７との略中間部に反射部材１１を配置することで、反射効率を保つと共に、照射面から照射される光を一様に保つことができる。
【図面の簡単な説明】
【００２４】
【図１】本発明の実施の形態として示す発光式看板の斜視図である。
【図２】同発光式看板の要部上面図である。
【図３】同発光式看板の要部断面図である。
【図４】同発光式看板の変形例である。
【符号の説明】
【００２５】
１    発光式看板
３    面発光装置
５    筐体
７    ＬＥＤアレイ
９    反射面
１１    反射部材
１３    反射ドット
１５    台座
１７    記録媒体
１９    ＬＥＤアレイ
【図１】
2008152933.tif 000003
【図２】
2008152933.tif 000004
【図３】
2008152933.tif 000005
【図４】
2008152933.tif 000006